(57)【特許請求の範囲】
【請求項１】
板状ピースと、該板状ピースを複数段に接続可能なポール部材とからなる愛玩動物用組
み立て式遊戯具であって、
板状ピースは、他の板状ピースを水平方向に着脱自在に連結可能な連結部を備えており、
前記板状ピースは、４枚の平板部材を積層して成り、
前記４枚の平板部材はいずれも、側面視凸状の第１輪郭部と、該第１輪郭部に連接する
とともに該第１輪郭部に対応する側面視凹状の第２輪郭部とを有しており、
前記４枚の平板部材のうち２層目の平板部材は、その第１輪郭部が１層目の平板部材の
第２輪郭部の下に位置するとともに、その第２輪郭部が１層目の平板部材の第１輪郭部に
位置するように積層され、
３層目の平板部材は、その第１輪郭部が２層目の平板部材の第２輪郭部の下に位置する
とともに、その第２輪郭部が２層目の平板部材の第１輪郭部に位置するように積層され、
４層目の平板部材は、その第１輪郭部が３層目の平板部材の第２輪郭部の下に位置する
とともに、その第２輪郭部が３層目の平板部材の第１輪郭部に位置するように積層され、
前記連結部は、各層において、その第１輪郭部と第２輪郭部とが突合するようにして連
結されるように構成されていること
を特徴とする愛玩動物用組み立て式遊戯具。
【請求項２】
前記連結部を複数備えることを特徴とする請求項１に記載の愛玩動物用組み立て式遊戯具。
【請求項３】
前記４枚の平板部材は、同形状であることを特徴とする請求項１あるいは２に記載の愛玩動物用組み立て式遊戯具。
【請求項４】
前記連結部には、前記板状ピースどうしを連結した後、ネジ止め可能なネジ孔が穿設されていることを特徴とする請求項１乃至３いずれか１項に記載の愛玩動物用組み立て式遊戯具。
【請求項５】
前記板状ピースと前記他の板状ピースは、同形状であることを特徴とする請求項１乃至
４いずれか１項に記載の愛玩動物用組み立て式遊戯具。
【発明の詳細な説明】
【技術分野】
【０００１】
本発明は、愛玩動物用組み立て式遊戯具、特に、簡易に組み立て、変形可能な猫用の組み立て式遊戯具に関する。
【背景技術】
【０００２】
従来から、愛玩動物用組み立て式遊戯具として、例えば、特許文献１に記載の猫用の遊戯装置がある。この猫用の遊戯装置（Ａ１）は、次のように構成されている。すなわち、垂直方向に設けられるポール部材（１ａ）〜（１ｉ）を備えており、ポール部材（１ａ）〜（１ｉ）は、水平な棚板（２ａ）〜（２ｇ）で接続されている。ポール部材（１ａ）〜（１ｉ）と棚板（２ａ）〜（２ｇ）は、接続部で棚板（２ａ）〜（２ｇ）が回動できるように接続され、ポール部材（１ａ）は、アジャスター装置（４）によって床部と天井間で突っ張って固定できるように構成されている（カッコ内の符号は特許文献１に記載のものである）。
【０００３】
特許文献１に記載の猫用の遊戯装置は、上記のように構成されていることから、形状が変形でき、室内の模様替え等の際に邪魔になり難く、しかも、猫にとっても登り降りがし易いといった効果を奏することができるとしている。
【先行技術文献】
【特許文献】
【０００４】
【特許文献１】特開２０１２−３１５４６５号公報
【発明の概要】
【発明が解決しようとする課題】
【０００５】
ところで、猫は、気まぐれで、飽きっぽい動物として知られており、一度気に入った遊戯装置であったとしても、しばらくすると飽きてしまって遊ばなくなることがある。これに対し、特許文献１に記載の猫用の遊戯装置は、猫が該遊戯装置に飽きたとしても、形状を変形すれば、また猫が気に入ってくれて遊ぶようになるので好適である。しかしながら、該遊戯装置における変形は、棚板を回動させることによる変形のみであり、棚板の形状を変形することや棚板の広さを変えることは容易にはできない。
【０００６】
本発明はこのような問題を解決するためになされたものであり、その目的とするところは、組み立てが容易であり、かつ、簡易に、棚板の形状を変形することや棚板の広さを変えることができる愛玩動物用組み立て式遊戯具を提供することにある。
【課題を解決するための手段】
【０００７】
前記の目的を達成するため、本発明の愛玩動物用組み立て式遊戯具は、板状ピースと、該板状ピースを複数段に接続可能なポール部材とからなる愛玩動物用組み立て式遊戯具であって、板状ピースは、他の板状ピースを水平方向に着脱自在に連結可能な連結部を備えており、前記板状ピースは、４枚の平板部材を積層して成り、前記４枚の平板部材はいずれも、側面視凸状の第１輪郭部と、該第１輪郭部に連接するとともに該第１輪郭部に対応する側面視凹状の第２輪郭部とを有しており、前記４枚の平板部材のうち２層目の平板部材は、その第１輪郭部が１層目の平板部材の第２輪郭部の下に位置するとともに、その第２輪郭部が１層目の平板部材の第１輪郭部に位置するように積層され、３層目の平板部材は、その第１輪郭部が２層目の平板部材の第２輪郭部の下に位置するとともに、その第２輪郭部が２層目の平板部材の第１輪郭部に位置するように積層され、４層目の平板部材は、その第１輪郭部が３層目の平板部材の第２輪郭部の下に位置するとともに、その第２輪郭部が３層目の平板部材の第１輪郭部に位置するように積層され、前記連結部は、各層において、その第１輪郭部と第２輪郭部とが突合するようにして連結されるように構成されていることを特徴とする。
【０００８】
また、前記連結部を複数備えていてもよい。
【００１０】
また、前記４枚の平板部材は、同形状であってもよい。
【００１１】
また、前記連結部には、前記板状ピースどうしを連結した後、ネジ止め可能なネジ孔が穿設されていてもよい。
【００１２】
また、前記板状ピースと前記他の板状ピースは、同形状であってもよい。
【発明の効果】
【００１３】
本発明によれば、板状ピースと、該板状ピースを複数段に接続可能なポール部材とからなる愛玩動物用組み立て式遊戯具であって、板状ピースは、他の板状ピースを水平方向に着脱自在に連結可能な連結部を備えており、前記板状ピースは、４枚の平板部材を積層して成り、前記４枚の平板部材はいずれも、側面視凸状の第１輪郭部と、該第１輪郭部に連接するとともに該第１輪郭部に対応する側面視凹状の第２輪郭部とを有しており、前記４枚の平板部材のうち２層目の平板部材は、その第１輪郭部が１層目の平板部材の第２輪郭部の下に位置するとともに、その第２輪郭部が１層目の平板部材の第１輪郭部に位置するように積層され、３層目の平板部材は、その第１輪郭部が２層目の平板部材の第２輪郭部の下に位置するとともに、その第２輪郭部が２層目の平板部材の第１輪郭部に位置するように積層され、４層目の平板部材は、その第１輪郭部が３層目の平板部材の第２輪郭部の下に位置するとともに、その第２輪郭部が３層目の平板部材の第１輪郭部に位置するように積層され、前記連結部は、各層において、その第１輪郭部と第２輪郭部とが突合するようにして連結されるように構成されているように構成した。これにより、組み立てが容易
であり、かつ、簡易に、棚板の形状を変形することや棚板の広さを変えることができると
いった効果を奏する。
【図面の簡単な説明】
【００１４】
【図１】本発明の第１実施形態に係る猫用組み立て式遊戯具の使用状態を示す斜視図である。
【図２】図１に示す猫用組み立て式遊戯具を構成する板状ピースの図であり、（ａ）は平面図、（ｂ）は背面図、（ｃ）は（ａ）の矢印Ａから見た側面図、（ｄ）は斜視図である。
【図３】図２に示す板状ピースの構造を説明するための平面図であり、（ａ）は１層目の平板部材、（ｂ）は２層目の平板部材、（ｃ）は３層目の平板部材、（ｄ）は４層目の平板部材である。
【図４】図２に示す板状ピースの構造を説明するための斜視図である。
【図５】図１に示す猫用組み立て式遊戯具を構成するポール部材の図であり、（ａ）は正面図、（ｂ）は上面図である。
【図６】図１に示す猫用組み立て式遊戯具を構成する連結ネジの図であり、（ａ）は正面図、（ｂ）は上面図である。
【図７】図２に示す板状ピースどうしの連結の仕方を説明するための斜視図である。
【図８】図２に示す板状ピースと図３に示すポール部材の連結の仕方を説明するための斜視図である。
【図９】本発明の第２実施形態に係る猫用組み立て式遊戯具の使用状態を示す斜視図である。
【図１０】図９に示す猫用組み立て式遊戯具を構成する板状ピースの平面図である。
【図１１】図１０（ａ）に示す板状ピースの構造を説明するための平面図であり、（ａ）は１層目及び３層目の平板部材、（ｂ）は２層目及び４層目の平板部材である。
【図１２】図１０（ｂ）に示す板状ピースの構造を説明するための平面図であり、（ａ）は１層目及び３層目の平板部材、（ｂ）は２層目及び４層目の平板部材である。
【図１３】図１０に示す板状ピースどうしの連結の仕方を説明するための斜視図である。
【発明を実施するための形態】
【００１５】
以下、本発明を実施するための形態について、図面を参照しながら説明する。
【００１６】
図１には、本発明の愛玩動物用組み立て式遊戯具を適用した第１実施形態に係る猫用組み立て式遊戯具１の使用状態を示す斜視図が図示されており、猫用組み立て式遊戯具１は、板状ピース２と、ポール部材３と、（図６に示す）連結ネジ４と、（図７に示す）連結ボルト５及び連結ナット６から構成されている。猫用組み立て式遊戯具１は、猫が登って遊ぶための組み立て式の遊戯具である。図１においては、すべての部材に符号を付けると煩雑になることから、符号は部分的に付している。本実施形態においては、部品の共用の観点から、脚材としてポール部材３を使用しているが、作図上の理由から図面には表されていない。
【００１７】
次に、猫用組み立て式遊戯具１を構成する板状ピース２の構成について図２乃至４を参照して説明する。
【００１８】
板状ピース２は、図３に示す４枚の平板部材２ａ，２ｂ，２ｃ，２ｄを積層して接着した六角形の板状の部材であり、図２に示すように、六方向に形成された連結部２１と、連結部２１に穿設されたネジ孔２２と、中央に形成され連結ネジ４を挿入するためのネジ孔２３とを備えている。
【００１９】
次いで、板状ピース２を構成する４枚の平板部材２ａ，２ｂ，２ｃ，２ｄの構造について図３を参照して説明すると、（ａ）には、４層目のうちの１層目に位置し、板状ピース２の表面に露出する１層目の平板部材２ａが図示されており、続いて（ｂ）には２層目に位置する２層目の平板部材２ｂ、（ｃ）には３層目に位置する３層目の平板部材２ｃ、（ｄ）には最下層である４層目に位置する４層目の平板部材２ｄがそれぞれ図示されている。なお、これら４枚の平板部材は同一の形状であるが、積層した際の向きが違うためあえて異なる符号を付して別々に図示している。
【００２０】
４枚の平板部材２ａ，２ｂ，２ｃ，２ｄはいずれも、側面視凸状の第１輪郭部２１０と、第１輪郭部２１０に連接するとともに第１輪郭部２１０に対応する側面視凹状の第２輪郭部２１１とを有しており、図３においては、第１輪郭部２１０と第２輪郭部２１１とを区別するために、第１輪郭部２１０は点線、第２輪郭部２１１は破線で図示している。本実施形態においては、４枚の平板部材２ａ，２ｂ，２ｃ，２ｄを同一形状としていることから、各平板部材における第１輪郭部２１０は同一形状であり、第２輪郭部２１１も同一の形状となることから、同一の符号を付している。
【００２１】
このように構成された４枚の平板部材２ａ，２ｂ，２ｃ，２ｄを積層して接着すると板状ピース２が完成する。図４を参照して具体的に説明すると、各平板部材２ａ，２ｂ，２ｃ，２ｄには、ネジ孔２２を構成する部分ネジ孔２２ａ、２２ｂ、２２ｃ、２２ｄがそれぞれ設けられており、同様に、ネジ孔２３を構成する部分ネジ孔２３ａ、２３ｂ、２３ｃ、２３ｄが設けられている。これら部分ネジ孔が連通するようにして、４枚の平板部材２ａ，２ｂ，２ｃ，２ｄは積層され接着される。すなわち、部分ネジ孔２２ａと部分ネジ孔２２ｃが３カ所全て、部分ネジ孔２２ｂと部分ネジ孔２２ｄが３カ所全て及び部分ネジ孔２３ａ，２３ｂ，２３ｃ，２３ｄの全てが連通するようにして４枚の平板部材２ａ，２ｂ，２ｃ，２ｄを積層し接着する。すると、２層目の平板部材２ｂは、その第１輪郭部２１０が１層目の平板部材２ａの第２輪郭部２１１の下に位置するとともに、その第２輪郭部２１１が１層目の平板部材２ａの第１輪郭部２１０に位置するように積層され、３層目の平板部材２ｃは、その第１輪郭部２１０が２層目の平板部材２ｂの第２輪郭部２１１の下に位置するとともに、その第２輪郭部２１１が２層目の平板部材２ｂの第１輪郭部２１０に位置するように積層され、４層目の平板部材２ｄは、その第１輪郭部２１０が３層目の平板部材２ｃの第２輪郭部２１１の下に位置するとともに、その第２輪郭部２１１が３層目の平板部材２ｃの第１輪郭部２１０に位置するように積層される。
【００２２】
このように板状ピース２を構成したことにより、図２に示すように、六方向に連結部２１を備え、この連結部２１によって、他の板状ピース２と簡易かつ六方向に連結することが可能となる。連結の仕方については後述する。
【００２３】
次に、図５及び図６を参照してポール部材３及び連結ネジ４の構成について説明する。
【００２４】
ポール部材３は、円柱状の部材であり、その上方と下方に連結ネジ４を螺合するための雌ネジ部３１を備えている。図５（ａ）においては、雌ネジ部３１の位置を分かりやすくするために雌ネジ部３１を破線で表記している。
【００２５】
連結ネジ４は、ポール部材３どうしを連結するために、各ポール部材３，３の雌ネジ部３１に螺合して使用される雄ネジである。なお、ポール部材３どうし及び板状ピース２との連結の仕方は後述する。
【００２６】
次に、図７を参照して板状ピースどうしの連結の仕方を説明する。なお、図７においては、説明の便宜上、図中、左側の板状ピースには２（Ｌ）の符号を、右側の板状ピースには２（Ｒ）の符号を付しているが、両者は同形状の板状ピースである。
【００２７】
まず、図７（ａ）のように、板状ピース２（Ｌ）と板状ピース２（Ｒ）を同じ向きに並べ、板状ピース２（Ｌ）の連結部２１と板状ピース２（Ｒ）の連結部２１を対向させる。すると、１層目において、板状ピース２（Ｌ）の１層目の第２輪郭部２１１と板状ピース２（Ｒ）の第１輪郭部２１０、２層目において、板状ピース２（Ｌ）の第１輪郭部２１０（図示しない）と板状ピース２（Ｒ）の第２輪郭部２１１（図示しない）、３層目において、板状ピース２（Ｌ）の第２輪郭部２１１と板状ピース２（Ｒ）の第１輪郭部２１０、４層目において、板状ピース２（Ｌ）の第１輪郭部２１０と板状ピース２（Ｒ）の第２輪郭部２１１がそれぞれ対向した状態になる。
【００２８】
この状態から、図７（ｂ）に示すように、連結部２１，２１どうしを嵌合させる。具体的には、連結部２１，２１において、板状ピース２（Ｒ）の１層目が１層目、２層目が板状ピース２（Ｌ）の２層目、３層目が板状ピース２（Ｒ）の３層目、そして４層目が板状ピース２（Ｌ）の４層目が積層され両連結部２１，２１は嵌合される。
【００２９】
そして、完全に連結部２１，２１どうしが嵌合されると、１層目において、板状ピース２（Ｌ）の１層目の第２輪郭部２１１と板状ピース２（Ｒ）の第１輪郭部２１０、２層目において、板状ピース２（Ｌ）の第１輪郭部２１０（図示しない）と板状ピース２（Ｒ）の第２輪郭部２１１（図示しない）、３層目において、板状ピース２（Ｌ）の第２輪郭部２１１と板状ピース２（Ｒ）の第１輪郭部２１０、４層目において、板状ピース２（Ｌ）の第１輪郭部２１０と板状ピース２（Ｒ）の第２輪郭部２１１がそれぞれ突合した状態になる。同時に、板状ピース２（Ｌ）のネジ孔２２及び板状ピース２（Ｒ）が合わさって、連結ボルト５を挿入するためのネジ孔２２（ＲＬ）が形成される。
【００３０】
このネジ孔２２（ＲＬ）に、連結ボルト５を挿入し、板状ピース２（Ｌ）から露出した部分を連結ナット６で締結すると、図７（ｄ）に示すように、板状ピース２（Ｌ）と板状ピース２（Ｒ）は完全に連結される。
【００３１】
本発明においては、板状ピース２（Ｌ）の連結部２１と板状ピース２（Ｒ）の連結部２１どうしを嵌合させれば、両者は連結されるので、簡易に棚板の形状を変形、棚板の広さを変えることができる。なお、本実施形態においては、板状ピース２を連結した後、連結ボルト５及び連結ナット６によってネジ止めしているが、脱落防止のためであり、板状ピース２どうしをしっかりと嵌合させれば、連結ボルト５及び連結ナット６によってネジ止めしなくてもよい。
【００３２】
次に、図８を参照して、板状ピースとポール部材の連結の仕方を説明する。
【００３３】
まず、図８（ａ）に示すように、ポール部材３の雌ネジ部３１に連結ネジ４を螺合する。次に、図８（ｂ）に示すように、ポール部材３の雌ネジ部３１に螺合された連結ネジ４を、板状ピース２の裏面側からネジ孔２３に挿入する。
【００３４】
次に、図８（ｃ）に示すように、板状ピース２のネジ孔２３から露出された連結ネジ４に、他のポール部材３の雌ネジ部３１を螺合する。すると、図８（ｄ）に示すように、２つのポール部材３，３の間に板状ピース２が取り付けられる。
【００３５】
そして、図７に示す板状ピース２どうしの水平方向の連結と、この図８に示す板状ピース２とポール部材３の連結とを複数組み合わせれば、図１に示す猫用組み立て式遊戯具１が完成する。なお、本実施形態においては、最上段の板状ピース２とポール部材３とは、連結ネジ４ではなく、雌ネジ部３１に螺合可能なボルト（図示しない）でネジ止めしている。
【００３６】
以上のように、猫用組み立て式遊戯具１を構成しているので、簡易に組み立て可能であり、各段の棚板を板状ピース２どうしの連結により所望の形状、広さに変形可能である。
【００３７】
また、上記第１実施形態においては、猫用組み立て式遊戯具１を構成する板状ピース２の形状をすべて同一の形状としたことから、猫用組み立て遊戯具１の製造者においては、板状ピース２の製造コストの削減、製造の容易化に繋がり、一方、ユーザにとっては、板状ピース２が管理しやすく、交換等も容易であるといった効果を奏する。
【００３８】
上記のような効果を奏することから、上記第１実施形態においては、板状ピース２の形状を全て同一としたが、板状ピースの形状が異なるものどうしで猫用組み立て式遊戯具を構成することも可能であり、このように異形の板状ピースどうしを組み合わせれば、各段の棚板の形状のバリエーションも増えるので好適である。そのような形態の一例が図９に示す第２実施形態に係る猫用組み立て式遊戯具１００である。
【００３９】
以下に、猫用組み立て式遊戯具１００の構成について、図９乃至図１３を参照して説明する。なお、第１実施形態と同一の構成については同一の符号を用い、詳細な説明は省略する。
【００４０】
図９には、第２実施形態に係る猫用組み立て式遊戯具１００の使用状態を示す斜視図が図示されており、猫用組み立て式遊戯具１００は、板状ピース２Ｘと、板状ピース２Ｙと、ポール部材３と、連結ネジ４と、連結ボルト５及び連結ナット６から構成されている。第１実施形態に係る猫用組み立て式遊戯具１と相違する点は、使用する板状ピースの形状であり、ここでは、２種類の板状ピース２Ｘ，２Ｙを使用している。
【００４１】
各板状ピース２Ｘ，２Ｙの構成について図１０乃至１２を参照して説明する。
【００４２】
図１０（ａ）には板状ピース２Ｘの平面図が、図１１（ａ）には板状ピース２Ｘを構成する１層目の平板部材２０ａと３層目の平板部材２０ｃが、同図（ｂ）には板状ピース２Ｘを構成する２層目の平板部材２０ｂと４層目の平板部材２０ｄがそれぞれ図示されている。これら４枚の平板部材は同一の形状であるが、積層した際の向きが違うためあえて異なる符号を付して別々に図示している。なお、３層目の平板部材２０ｃは、１層目の平板部材２０ａと同一の向きに積層されることから、３層目の平板部材２０ｃは符号を括弧書きして図示を省略している。同様に、４層目の平板部材２０ｄは、２層目の平板部材２０ｂと同一の向きに積層されることから、４層目の平板部材２０ｄについても符号を括弧書きにして図示を省略している。
【００４３】
板状ピース２Ｘは、これら４枚の平板部材２０ａ，２０ｂ，２０ｃ，２０ｄを積層して接着した板状の部材であり、図１０（ａ）に示すように、３方向に形成された連結部２１Ｘと、連結部２１Ｘに穿設されたネジ孔２２Ｘと、中央に形成された連結ネジ４を挿入するためのネジ孔２３Ｘとを備えている。なお、板状ピース２Ｘの連結部２１Ｘには、２つのネジ孔２２Ｘ，２２Ｘがそれぞれ設けられている。
【００４４】
４枚の平板部材２０ａ，２０ｂ，２０ｃ，２０ｄはいずれも、側面視凸状の第１輪郭部２０１と、第１輪郭部２０１に連接するとともに第１輪郭部２０１に対応する側面視凹状の第２輪郭部２０２とを有しており、これらの図示の仕方は上記第１実施形態のときと同様である。
【００４５】
このように構成された４枚の平板部材２０ａ，２０ｂ，２０ｃ，２０ｄを積層して接着すると板状ピース２Ｘが完成する。具体的には、各平板部材２０ａ，２０ｂ，２０ｃ，２０ｄには、ネジ孔２２Ｘを構成する部分ネジ孔２２０ａ、２２０ｂ、２２０ｃ、２２０ｄがそれぞれ設けられており、同様に、ネジ孔２３Ｘを構成する部分ネジ孔２３０ａ、２３０ｂ、２３０ｃ、２３０ｄが設けられている。これら部分ネジ孔が連通するようにして、４枚の平板部材２０ａ，２０ｂ，２０ｃ，２０ｄは積層され接着される。すなわち、部分ネジ孔２２０ａと部分ネジ孔２２０ｃが３カ所全て、部分ネジ孔２２０ｂと部分ネジ孔２２０ｄが３カ所全て及び部分ネジ孔２３０ａ，２３０ｂ，２３０ｃ，２３０ｄの全てが連通するようにして４枚の平板部材２０ａ，２０ｂ，２０ｃ，２０ｄを積層し接着する。すると、２層目の平板部材２０ｂは、その第１輪郭部２０１が１層目の平板部材２０ａの第２輪郭部２０２の下に位置するとともに、その第２輪郭部２０２が１層目の平板部材２０ａの第１輪郭部２０１に位置するように積層され、３層目の平板部材２０ｃは、その第１輪郭部２０１が２層目の平板部材２０ｂの第２輪郭部２０２の下に位置するとともに、その第２輪郭部２０２が２層目の平板部材２０ｂの第１輪郭部２０１に位置するように積層され、４層目の平板部材２０ｄは、その第１輪郭部２０１が３層目の平板部材２０ｃの第２輪郭部２０２の下に位置するとともに、その第２輪郭部２０２が３層目の平板部材２０ｃの第１輪郭部２０１に位置するように積層される。
【００４６】
次に、板状ピース２Ｙの構成について説明する。図１０（ｂ）には板状ピース２Ｙの平面図が、図１２（ａ）には板状ピース２Ｙを構成する１層目の平板部材２０Ａと３層目の平板部材２０Ｃが、同図（ｂ）には板状ピース２Ｙを構成する２層目の平板部材２０Ｂと４層目の平板部材２０Ｄがそれぞれ図示されている。これら４枚の平板部材は同一の形状であるが、積層した際の向きが違うためあえて異なる符号を付して別々に図示している。なお、３層目の平板部材２０Ｃは、１層目の平板部材２０Ａと同一の向きに積層されることから、３層目の平板部材２０Ｃは符号を括弧書きして図示を省略している。同様に、４層目の平板部材２０Ｄは、２層目の平板部材２０Ｂと同一の向きに積層されることから、４層目の平板部材２０Ｄについても符号を括弧書きにして図示を省略している。
【００４７】
板状ピース２Ｙは、これら４枚の平板部材２０Ａ，２０Ｂ，２０Ｃ，２０Ｄを積層して接着した板状の部材であり、図１０（ｂ）に示すように、４方向に形成された連結部２１Ｙと、連結部２１Ｙに穿設されたネジ孔２２Ｙと、中央に形成された連結ネジ４を挿入するためのネジ孔２３Ｙとを備えている。なお、板状ピース２Ｙの連結部２１Ｙには、２つのネジ孔２２Ｙ，２２Ｙがそれぞれ設けられている。
【００４８】
４枚の平板部材２０Ａ，２０Ｂ，２０Ｃ，２０Ｄはいずれも、側面視凸状の第１輪郭部２０１と、第１輪郭部２０１に連接するとともに第１輪郭部２０１に対応する側面視凹状の第２輪郭部２０２とを有しており、これらの図示の仕方は上記第１実施形態のときと同様である。
【００４９】
このように構成された４枚の平板部材２０Ａ，２０Ｂ，２０Ｃ，２０Ｄを積層して接着すると板状ピース２Ｙが完成する。具体的には、各平板部材２０Ａ，２０Ｂ，２０Ｃ，２０Ｄには、ネジ孔２２Ｙを構成する部分ネジ孔２２０Ａ、２２０Ｂ、２２０Ｃ、２２０Ｄがそれぞれ設けられており、同様に、ネジ孔２３Ｙを構成する部分ネジ孔２３０Ａ、２３０Ｂ、２３０Ｃ、２３０Ｄが設けられている。これら部分ネジ孔が連通するようにして、４枚の平板部材２０Ａ，２０Ｂ，２０Ｃ，２０Ｄは積層され接着される。すなわち、部分ネジ孔２２０Ａと部分ネジ孔２２０Ｃが４カ所全て、部分ネジ孔２２０Ｂと部分ネジ孔２２０Ｄが４カ所全て及び部分ネジ孔２３０Ａ，２３０Ｂ，２３０Ｃ，２３０Ｄの全てが連通するようにして４枚の平板部材２０Ａ，２０Ｂ，２０Ｃ，２０Ｄを積層し接着する。すると、２層目の平板部材２０Ｂは、その第１輪郭部２０１が１層目の平板部材２０Ａの第２輪郭部２０２の下に位置するとともに、その第２輪郭部２０２が１層目の平板部材２０Ａの第１輪郭部２０１に位置するように積層され、３層目の平板部材２０Ｃは、その第１輪郭部２０１が２層目の平板部材２０Ｂの第２輪郭部２０２の下に位置するとともに、その第２輪郭部２０２が２層目の平板部材２０Ｂの第１輪郭部２０１に位置するように積層され、４層目の平板部材２０Ｄは、その第１輪郭部２０１が３層目の平板部材２０Ｃの第２輪郭部２０２の下に位置するとともに、その第２輪郭部２０２が３層目の平板部材２０Ｃの第１輪郭部２０１に位置するように積層される。
【００５０】
このように板状ピース２Ｘ，２Ｙを構成したことにより、図１０（ａ）に示すように、板状ピース２Ｘは３方向に連結部２１Ｘを備え、板状ピース２Ｙは図１０（ｂ）に示すように、４方向に連結部２１Ｙを備え、この連結部２１Ｘ，２１Ｙによって、他の板状ピースと、板状ピース２Ｘは３方向に、板状ピース２Ｙは４方向にそれぞれ簡易に連結することが可能となる。連結の仕方については後述する。
【００５１】
第２実施形態においても、ポール部材３、連結ネジ４、連結ボルト５及び連結ナット６の構成は同様であり、板状ピース２Ｘあるいは板状ピース２Ｙとポール部材３との連結の仕方については同様であるので説明は省略する。
【００５２】
次に、図１３を参照して板状ピースどうしの連結の仕方を説明する。
【００５３】
まず、図１３（ａ）のように、板状ピース２Ｙの連結部２１Ｙと板状ピース２Ｘの連結部２１Ｘを対向させる。すると、１層目及び３層目において、板状ピース２Ｙの第１輪郭部２０１と第２輪郭部２０２とが連接されてなる輪郭部と、板状ピース２Ｘの第２輪郭部２０２と第１輪郭部２０１とが連接されてなる輪郭部とが対向し、２層目及び４層目において、板状ピース２Ｙの第２輪郭部２０２と第１輪郭部２０１とが連接されてなる輪郭部と、板状ピース２Ｘの第１輪郭部２０１と第２輪郭部２０２とが連接されてなる輪郭部とが対向した状態となる。
【００５４】
この状態から、図１３（ｂ）に示すように、連結部２１Ｙ，２１Ｘどうしを嵌合させる。具体的には、連結部２１Ｙ，２１Ｘにおいて、板状ピース２Ｘの１層目が１層目、２層目が板状ピース２Ｙの２層目、３層目が板状ピース２Ｘの３層目、そして４層目が板状ピース２Ｙの４層目が積層され両連結部２１Ｙ，２１Ｘは嵌合される。
【００５５】
そして、完全に連結部２１Ｙ，２１Ｘどうしが嵌合されると、１層目及び３層目において、板状ピース２Ｙの第１輪郭部２０１と第２輪郭部２０２とが連接されてなる輪郭部と、板状ピース２Ｘの第２輪郭部２０２と第１輪郭部２０１とが連接されてなる輪郭部とが対向し、２層目及び４層目において、板状ピース２Ｙの第２輪郭部２０２と第１輪郭部２０１とが連接されてなる輪郭部と、板状ピース２Ｘの第１輪郭部２０１と第２輪郭部２０２とが連接されてなる輪郭部とが突合した状態になる。同時に、板状ピース２Ｙのネジ孔２２Ｙ及び板状ピース２Ｘのネジ孔２２Ｘが合わさって、連結ボルト５を挿入するためのネジ孔２２（ＸＹ）が２カ所に形成される。
【００５６】
このネジ孔２２（ＸＹ）に、連結ボルト５を挿入し、板状ピース２Ｙから露出した部分を連結ナット６で締結すると、図１３（ｄ）に示すように、板状ピース２Ｙと板状ピース２Ｘは完全に連結される。
【００５７】
本実施形態においては、図１３に示すように、板状ピース２Ｙと板状ピース２Ｘは、連結部２１Ｙ，２１Ｘにおいて、左右の２カ所で嵌合されるので、上記第１実施形態よりも両板状ピースの連結度合は強くなるので好適である。
【００５８】
これ以降の猫用組み立て式遊戯具１００の組立て方法は、上記第１実施形態と同様であるので、説明は省略する。なお、第１実施形態及び第２実施形態では、最下段の下方に脚を取り付けており、部品共用の観点から、この脚はポール部材を使用しているが、作図上の理由から他の部材に隠れて図示されていない。この脚の取り付け方法は、上記説明したポール部材どうしの連結の仕方を用いることも可能だが、ネジ孔３１に適合するボルトを用いて取り付けてもよい。なお、最下段を直接床に置けば、この脚を取り付ける必要はない。
【００５９】
以上説明したとおり、本実施形態における猫用組み立て式遊戯具は上記のように構成したことから、組立ては容易で、かつ、各段の棚板の形状や広さを自在かつ簡易に変更可能である。
【００６０】
なお、上記実施形態は一例に過ぎずこれに限定されるものではない。例えば、板状ピースどうしを連結ボルトと連結ナットによってネジ止めしたが、スプリングピンでも代用可能である。また、ポール部材どうしをネジ止めするように構成しているが、連結ピンに代えて、例えば、ボスとボス孔の嵌合構造に変更することも可能である。さらに、上記実施形態においては、板状ピースを４層の平板部材の積層構造としたが、例えば、６層、８層等の構造でもよい。
【符号の説明】
【００６１】
１              猫用組み立て式遊戯具（第１実施形態）
１              猫用組み立て式遊戯具（第２実施形態）
２              板状ピース（第１実施形態）
２Ｘ，２Ｙ      板状ピース（第２実施形態）
２ａ            １層目の平板部材（第１実施形態）
２ｂ            ２層目の平板部材（第１実施形態）
２ｃ            ３層目の平板部材（第１実施形態）
２ｄ            ４層目の平板部材（第１実施形態）
２０ａ，２０Ａ  １層目の平板部材（第２実施形態）
２０ｂ，２０Ｂ  ２層目の平板部材（第２実施形態）
２０ｃ，２０Ｃ  ３層目の平板部材（第２実施形態）
２０ｄ，２０Ｄ  ４層目の平板部材（第２実施形態）
２１            連結部（第１実施形態）
２１Ｘ，２１Ｙ  連結部（第２実施形態）
２１０          第１輪郭部（第１実施形態）
２０１          第１輪郭部（第２実施形態）
２１１          第２輪郭部（第１実施形態）
２０１          第２輪郭部（第２実施形態）
３              ポール部材
４              連結ネジ
５              連結ボルト
６              連結ナット
【図１】
0006534202.tif 000002
【図２】
0006534202.tif 000003
【図３】
0006534202.tif 000004
【図４】
0006534202.tif 000005
【図５】
0006534202.tif 000006
【図６】
0006534202.tif 000007
【図７】
0006534202.tif 000008
【図８】
0006534202.tif 000009
【図９】
0006534202.tif 000010
【図１０】
0006534202.tif 000011
【図１１】
0006534202.tif 000012
【図１２】
0006534202.tif 000013
【図１３】
0006534202.tif 000014